(57)【要約】      （修正有）【課題】  レバーの握り方によらずに、溶着部分に不良が発生することのない超音波溶着装置を提供する。【解決手段】  超音波溶着装置において１はハンドピース、２は超音波振動子、２ａはホーン、３はアンビル部、３ａは摺動部材、３ｂはアンビル、４は回動軸、５は回動部材、５ａは三角部材、５ｂはレバー、６は駆動軸、７は支持軸、８はＵ字状のバネ、９は発振スイッチ、１０は被溶着物である。ハンドピースの側部に発振スイッチ９が装着され、又、レバー５ｂに突出部５ｃが装着され、アンビル部のアンビル３ｂにセンサ１１が装着され、ハンドピース１に制御装置１２が接続され、制御装置１２に発振器１３、判定回路１４、溶着中の表示灯１５、溶着完了の表示灯１６、溶着不良の表示灯１７が装着されている。そして溶着時の振動とセンサ圧力をセンサで検出し、その強さで溶着時期を判定し、発振器を停止する。【選択図】図１
2007144485.tif 000002
【特許請求の範囲】
【請求項１】
超音波振動子を内蔵し、該超音波振動子のホーンの先端が端部に突出したハンドピースと、該ハンドピースの側部に摺動部材を装着し、該摺動部材から突出するアンビルの接触部が前記超音波振動子のホーンと対向するように装着したアンビル部と、該アンビル部の前記アンビルに装着されたセンサと、前記ハンドピースの両側部に装着された回動軸に三角部材の頂点近傍に回動可能に装着され、前記三角部材から前記ケースから離れる方向にレバーを設けた回動部材と、該回動部材の前記レバーの中間部に固着した突出部と、該突出部で作動され、前記ハンドピースの側部に装着された発振スイッチと、該発振スイッチによって前記超音波振動子に発振出力を印加する発振器を内蔵する制御装置を前記ハンドピースに接続することを特徴とするの超音波溶着器。
【請求項２】
前記センサで検出した振動及び圧力信号によって、溶着完了を判定する判定回路を前記制御装置に装着することを特徴とする請求項１記載の超音波溶着器。
【請求項３】
前記制御装置に溶着中、溶着完了及び溶着不可を表示する表示灯を装着することを特徴とする請求項１記載の超音波溶着器。
【発明の詳細な説明】
【技術分野】
【０００１】
本発明は、アンビルに装着したセンサにより、振動及び圧力を検出して、溶着状態を表示きる超音波溶着器に関するものである。
【背景技術】
【０００２】
従来、図２及び図３に示すように、ハンドピース１の一端に超音波振動子２のホーン２ａの端部が突出され、ハンドピース１の側部にアンビル部３の摺動部材３ａが摺動可能に装着され、摺動部材３ａからアンビル３ｂがほぼ垂直に形成され、アンビル３ｂの端部は超音波振動子２のホーン２ａの端部と接触するように構成され、ハンドピース１の両側面に装着された回動軸４で回動部材５の三角部材５ａの頂点部分が支持され、又、回動部材５は三角部材５ａからハンドピース１の下方に斜めにレバー５ｂが形成され、さらに、回動部材５の三角部材５ａの底部近傍に駆動軸６が固着され、又、アンビル部３の摺動部材３ａを貫通して支持軸７が摺動部材３ａに固着され、駆動軸６と支持軸７の間にＵ字状のバネ８が装着され、又、ハンドピース１の側部に発振スイッチ９が装着され、レバー３ｂに装着した突出部５ｃで発振スイッチ９を押すようにした超音波溶着装置が提案されている。
【０００３】
しかしながら、この超音波溶着装置では、被溶着物１０を溶着する場合は、回動部材５のレバー５ｂを握ることにより、レバー５ｂの突出部５ｃが発振スイッチ９を押すことにより、超音波振動子２が振動して、アンビル３ｂと超音波振動子２のホーン２ａの間に挟持された被溶着物１７が溶着されるが、レバー５ｂを握る時間がまちまちであり、又、レバー５ｂを握る圧力もまちまちであるので、溶着が完了した後でもレバー５ｂを握っていると、被溶着物１０が必要以上に溶けてしまい、本来、被溶着物１０の密閉されている部分が密閉されていなかったり、焦げが発生してりして、溶着部分に不良が発生するという問題がある。
【特許文献１】特願２００４−２８７７５６
【発明の開示】
【発明が解決しようとする課題】
【０００４】
解決しようとする問題点は、レバーを必要以上に握っていると、密閉されている部分が密閉されていなかったり、焦げが発生してりして、溶着部分に不良が発生するという問題がある。
【課題を解決するための手段】
【０００５】
本発明では、ハンドピースは超音波振動子を内蔵し、該超音波振動子のホーンの先端が端部に突出し、アンビル部はハンドピースの側部に摺動部材を装着し、摺動部材から突出するアンビルの接触部が超音波振動子のホーンと対向するように装着され、センサはアンビル部アンビルに装着され、回動部材はハンドピースの両側部に装着された回動軸に三角部材の頂点近傍に回動可能に装着され、三角部材からハンドピースから離れる方向にレバーを設け、突出部は回動部材のレバーの中間部に固着され、発振スイッチはハンドピースの側部に装着されて、突出部で作動され、制御装置はハンドピースに接続され、制御装置に内蔵された発振器は発振スイッチによって超音波振動子に発振出力を印加するものである。
【発明の効果】
【０００６】
本発明の超音波溶着器は、ハンドピースに発振スイッチを装着し、アンビル部にセンサを装着し、ハンドピースに接続された制御装置に発振器及び判定回路を内蔵し、レバーを握ることにより、発振スイッチが作動され、超音波振動子に発振出力が印加され、アンビル部のアンビルと超音波振動子のホーンとの間に挟持された被溶着物が溶着され、この溶着の時に伝達される振動及び圧力をセンサで検出し、この振動と圧力の強さにより、溶着時期を判定し、発振器を停止して表示するので、常に一定した溶着を得ることができるという利点がある。
【実施例】
【０００７】
図１は本発明の実施例の超音波溶着器の側面図、図２は図１の超音波溶着器の一部を切り欠いた側面図で、１はハンドピース、２は超音波振動子、２ａはホーン、３はアンビル部、３ａは摺動部材、３ｂはアンビル、４は回動軸、５は回動部材、５ａは三角部材、５ｂはレバー、６は駆動軸、７は支持軸、８はＵ字状のバネ、９は発振スイッチ、１０は被溶着物であり、これらの構成は上記従来例と同じであるので、説明は省略するが、本実施例では、ハンドピース１の側部に発振スイッチ９が装着され、又、レバー５ｂに突出部５ｃが装着され、アンビル部３のアンビル３ｂにセンサ１１が装着され、ハンドピース１に制御装置１２が接続され、制御装置１２に発振器１３、判定回路１４、溶着中の表示灯１５、溶着完了の表示灯１６、溶着不良の表示灯１７が装着されている。
【０００８】
このように構成された本実施例の超音波溶着器では、ハンドピース１の側面に回動可能に装着された回動部材５のレバー５ｂをハンドピース１の方向に押し付けると、回動部材５の三角部材５ａに固着された駆動軸６でＵ字状のバネ８がバネの力に抗して押され、バネ８が戻る力によって、アンビル部３の摺動部材３ａに固着された支持軸７が押されるので、支持軸７はバネ８の戻る力によって移動され、アンビル部３の摺動部材３ａと一体となったアンビル３ｂの端部が超音波振動子２のホーン２ａの方向に移動し、又、回動部材５のレバー５ｂをハンドピース１の方向に押し付ける時に、レバー５ｂに固着された突出部５ｃによって、ハンドピース１の側部に装着された発振スイッチ１ａが押され、制御装置１２の発振器１３が作動し、発振器１３から発振出力が超音波振動子２に印加され、アンビル３ｂの端部と超音波振動子２のホーン２ａの先端との間に介在された被溶着物１０を溶着することができる。
【０００９】
ここで、本実施例の超音波溶着器では、判定回路１４は発振スイッチ１ａが作動されている間に溶着中の表示灯１５を点灯し、アンビル部３のアンビル３ｂに装着したセンサ１１から超音波振動子２からの振動及びアンビル３ｂと超音波振動子２のホーン２ａとの間に加えられた圧力を検出した検出信号を受信し、その検出信号で振動及び圧力が予め検出されている最適値から溶着完了の表示灯１５を表示し、その時に、発振器１３の発振を停止し、又、予め検出されている最適値から振動及び圧力がオーバーした場合には、溶着不良の表示灯１７を点灯し、又、振動及び圧力が小さい場合にも、溶着不良の表示灯１７を点灯する。
【００１０】
実施例の超音波溶着器では、このように、溶着している間は溶着中の表示灯１５が表示され、溶着が完了すると、溶着完了の表示灯１６が点灯され、溶着不良の場合は、溶着不良の表示灯１７を点灯することにより、最適な溶着状態で動作が完了するようにセンサ１１で監視し、発振器１３を停止し、溶着完了の表示灯１６を表示する。
【産業上の利用可能性】
【００１１】
なお、実施例では、センサ１１は振動、圧力を１つのセンサで示したが、検出する対象に応じてそれぞれのセンサを使用し、取付位置もアンビル３ｂ及び超音波振動子２のホーンの部分で適宜決定することができ、又、センサ１１として、熱を検出するようにしてもよい。
【図面の簡単な説明】
【００１２】
【図１】本発明の実施例の超音波溶着器の側面図である。
【図２】従来の超音波溶着器の側面図である。
【図３】図２の超音波溶着器の一部断面側面図である。
【符号の説明】
【００１３】
１                ハンドピース
２                超音波振動子
３                アンビル部
１０              被溶着物
１１              センサ
１２              制御装置
１３              発振器
１４              判定回路
１５              溶着中の表示灯
１６              溶着完了の表示灯
１７              溶着不良の表示灯
【図１】
2007144485.tif 000003
【図２】
2007144485.tif 000004
【図３】
2007144485.tif 000005